(57)【要約】      （修正有）【課題】  使用水量が少なく経済的で、ランニングコストが安く、しかも水の再生を装置の運転を停止させることなく連続的に行なうことができる空気浄化方法及びその装置を提案する。【解決手段】  空気流通系Ｙを流れる空気Ａに含まれたガス成分を、水循環系Ｘを循環する水Ｗに溶解させて除去する空気浄化方法において、ガス成分が溶解された水Ｗに対して紫外線を照射する。この場合、水Ｗの再生を、空気浄化運転を継続させたまま連続的に行なうことができ、連続的な空気浄化が可能となる。さらに、紫外線の照射による水Ｗの再生の場合、水Ｗの排出量を無くすることができるので、純水の補給は蒸発による減少分に相当する量で良く、水循環系Ｘに対する純水の補給量が極めて少なくて済む。【選択図】        図１
2005313094.tif 000002
【特許請求の範囲】
【請求項１】
空気流通系（Ｙ）を流れる空気（Ａ）に含まれたガス成分を、水循環系（Ｘ）を循環する水（Ｗ）に溶解させて除去する空気浄化方法であって、
ガス成分が溶解された上記水（Ｗ）に対して紫外線を照射することを特徴とする空気浄化方法。
【請求項２】
請求項１において、
上記水循環系（Ｘ）の途中で上記水（Ｗ）を一時貯留し、この貯留された水（Ｗ）に対して上方から紫外線を照射することを特徴とする空気浄化方法。
【請求項３】
請求項２において、
上記水（Ｗ）の水深を浅くして紫外線を照射することを特徴とする空気浄化方法。
【請求項４】
請求項１において、
上記水循環系（Ｘ）の途中で上記水（Ｗ）を一時貯留し、この貯留された水（Ｗ）の内部において紫外線を照射することを特徴とする空気浄化方法。
【請求項５】
請求項１において、
上記水循環系（Ｘ）の途中で上記水（Ｗ）を一時貯留し、この貯留された水（Ｗ）に光触媒（１４）を浸漬させ、該水（Ｗ）に対して紫外線を照射することを特徴とする空気浄化方法。
【請求項６】
請求項１において、
上記水循環系（Ｘ）を循環する上記水（Ｗ）に直接に紫外線を照射することを特徴とする空気浄化方法。
【請求項７】
空気流通系（Ｙ）を流れる空気（Ａ）に含まれたガス成分を水循環系（Ｘ）を循環する水（Ｗ）に溶解させて除去する空気浄化装置であって、
ガス成分が溶解された上記水（Ｗ）に対して紫外線を照射する紫外線照射手段（１３）を備えことを特徴とする空気浄化装置。
【請求項８】
請求項７において、
上記水循環系（Ｘ）の途中に水タンク（１１）を設けるとともに、上記水タンク（１１）の上方に上記紫外線照射手段（１３）を配置したことを特徴とする空気浄化装置。
【請求項９】
請求項８において、
上記水タンク（１２）が浅底であることを特徴とする空気浄化装置。
【請求項１０】
請求項７において、
上記水循環系（Ｘ）の途中に水タンク（１１）を設けるとともに、上記水タンク（１１）の水（Ｗ）の内部に上記紫外線照射手段（１３）を配置したことを特徴とする空気浄化装置。
【請求項１１】
請求項８，９又は１０において、
上記水タンク（１１）の水（Ｗ）に光触媒（１４）を浸漬配置したことを特徴とする空気浄化装置。
【請求項１２】
請求項７において、
上記紫外線照射手段（１３）が上記水循環系（Ｘ）の途中に介設されていることを特徴とする空気浄化装置。
【発明の詳細な説明】
【技術分野】
【０００１】
本願発明は、多孔質膜を用いて空気中の有害ガス成分を水に溶解させて除去することで空気浄化を行なう空気浄化方法及びその装置に関するものである。
【背景技術】
【０００２】
従来から、多孔質膜を用いて空気中の有害ガス成分を水に溶解させて除去することで空気浄化を行なう空気浄化方法は知られている（例えば、特許文献１参照）。
【０００３】
ところで、このような空気浄化方法においては、浄化作用の進行とともに、水におけるガス成分の濃度が上昇し、ガス成分の溶解能力が次第に低下してくるため、空気浄化性能の維持を図るためには、上記水のガス成分に対する溶解能力を回復させる手立てを講じることが必要となる。
【０００４】
係る場合の手法として、例えば、特許文献２に開示されるように、一定の運転時間毎に、ガス成分濃度が高くなったガス溶解水を、純水と交換するものとか、特許文献３に開示されるように、水循環系内にイオン交換樹脂を設置し、水に溶解して回収されている不純物イオンを上記イオン交換樹脂によって取り除いて水を再生し、これを再利用するもの、等が知られている。
【０００５】
【特許文献１】特開平６−３３９６１３号公報（段落「０００１」〜「０００３」、図３）
【０００６】
【特許文献２】特許３２２７３６７号公報（段落「００１７」、図１）
【特許文献３】特開平１１−２６７４２８号公報（段落「００２０」〜「００２５」、図１）。
【発明の開示】
【発明が解決しようとする課題】
【０００７】
ところが、特許文献２に開示される手法では、一定の運転時間毎に、ガス成分濃度が高くなったガス溶解水を純水と交換するものであることから、作業が煩雑でランニングコストが高くつき、しかも水交換時には装置の運転を一時休止する必要があり、さらに使用水量が多く不経済である、等の問題があった。
【０００８】
また、特許文献３に示されるものでは、イオン交換樹脂は吸着量の飽和によって定期的に交換あるいは再生が必要であり、ランニングコストが高くつくという問題があった。
【０００９】
そこで、本願発明は、使用水量が少なく経済的で、ランニングコストが安く、しかも水の再生を装置の運転を停止させることなく連続的に行なうことができる空気浄化方法及びその装置を提案することを目的としてなされたものである。
【課題を解決するための手段】
【００１０】
本願発明ではかかる課題を解決するための具体的手段として次のような構成を採用している。
【００１１】
本願の第１の発明では、空気流通系Ｙを流れる空気Ａに含まれたガス成分を、水循環系Ｘを循環する水Ｗに溶解させて除去する空気浄化方法において、ガス成分が溶解された上記水Ｗに対して紫外線を照射することを特徴としている。
【００１２】
本願の第２の発明では、上記第１の発明に係る空気浄化方法において、上記水循環系Ｘの途中で上記水Ｗを一時貯留し、この貯留された水Ｗに対して上方から紫外線を照射することを特徴としている。
【００１３】
本願の第３の発明では、上記第２の発明に係る空気浄化方法において、上記水Ｗの水深を浅くして紫外線を照射することを特徴としている。
【００１４】
本願の第４の発明では、上記第１の発明に係る空気浄化方法において、上記水循環系Ｘの途中で上記水Ｗを一時貯留し、この貯留された水Ｗの内部において紫外線を照射することを特徴としている。
【００１５】
本願の第５の発明では、上記第１の発明に係る空気浄化方法において、上記水循環系Ｘの途中で上記水Ｗを一時貯留し、この貯留された水Ｗに光触媒１４を浸漬させ、該水Ｗに対して紫外線を照射することを特徴としている。
【００１６】
本願の第６の発明では、上記第１の発明に係る空気浄化方法において、上記水循環系Ｘを循環する上記水Ｗに直接に紫外線を照射することを特徴としている。
【００１７】
本願の第７の発明では、空気流通系Ｙを流れる空気Ａに含まれたガス成分を水循環系Ｘを循環する水Ｗに溶解させて除去する空気浄化装置において、ガス成分が溶解された上記水Ｗに対して紫外線を照射する紫外線照射手段１３を備えことを特徴としている。
【００１８】
本願の第８の発明では、上記第７の発明に係る空気浄化装置において、上記水循環系Ｘの途中に水タンク１１を設けるとともに、上記水タンク１１の上方に上記紫外線照射手段１３を配置したことを特徴としている。
【００１９】
本願の第９の発明では、上記第８の発明に係る空気浄化装置において、上記水タンク１２を浅底としたことを特徴としている。
【００２０】
本願の第１０の発明では、上記第７の発明に係る空気浄化装置において、上記水循環系Ｘの途中に水タンク１１を設けるとともに、上記水タンク１１の水Ｗの内部に上記紫外線照射手段１３を配置したことを特徴としている。
【００２１】
本願の第１１の発明では、上記第８、第９又は第１０の発明に係る空気浄化装置において、上記水タンク１１の水Ｗに光触媒１４を浸漬配置したことを特徴としている。
【００２２】
本願の第１２の発明では、上記第７の発明に係る空気浄化装置において、上記紫外線照射手段１３を上記水循環系Ｘの途中に介設したことを特徴としている。
【発明の効果】
【００２３】
本願発明では次のような効果が得られる。
【００２４】
（ａ）本願の第１の発明に係る空気浄化方法によれば、空気流通系Ｙを流れる空気Ａに含まれたガス成分を、水循環系Ｘを循環する水Ｗに溶解させて除去する空気浄化方法において、ガス成分が溶解された上記水Ｗに対して紫外線を照射するようにしているので、紫外線が照射されることで、上記水Ｗに溶解されたガス成分は紫外線のもつ強酸化性によって分解除去され、該水Ｗはそのガス成分濃度が低下し、ガス成分に対する溶解能力を回復することになる。即ち、上記水Ｗの再生が図られるものである。
【００２５】
このように、この発明では、上記水循環系Ｘを循環する水Ｗに紫外線を照射することによって、ガス成分濃度が高くなり該ガス成分に対する溶解能力が低下した水Ｗの溶解能力が回復されるものであることから、上記水Ｗの再生を、空気浄化運転を継続させたまま連続的に行なうことができ、例えば、水Ｗの再生時には空気浄化運転を停止させる必要があるような場合に比して、連続的な空気浄化が可能となり、その分だけ、空調環境の快適性が向上することになる。
【００２６】
また、水Ｗの再生を、紫外線の照射という極めて簡単な手法で行なえることから、例えば、水Ｗを交換することによってその再生を図るような場合に比して、再生作業の簡易迅速化が図れ、延いては空気浄化装置の維持管理が容易となる。
【００２７】
さらに、このような紫外線の照射による水Ｗの再生の場合、水Ｗの排出量を無くすることができるので、純水の補給は蒸発による減少分に相当する量で良く、例えば、水Ｗの交換によって水Ｗの再生を行なう場合に比して、水循環系Ｘに対する純水の補給量が極めて少なくて済み、それだけ空気浄化に伴うランニングコストが低く抑えることができ経済的である。
【００２８】
（ｂ）本願の第２の発明に係る空気浄化方法によれば、上記（ａ）に記載の効果に加えて、次のような特有の効果が得られる。即ち、この発明では、上記水循環系Ｘの途中で上記水Ｗを一時貯留し、この貯留された水Ｗに対して上方から紫外線を照射するようにしているので、格別な機構等を付設することなく容易に且つ確実に紫外線の照射を行なうことができ、例えば、既存の空気浄化装置に対しても容易に適用できるものである。
【００２９】
（ｃ）本願の第３の発明によれば、上記（ｂ）に記載の効果に加えて、次のような特有の効果が得られる。即ち、この発明では、上記水Ｗの水深を浅くして紫外線を照射するようにしているので、水深が浅い分だけ、水による紫外線の減衰が抑えられ、より効率的にガス成分の分解除去を行なうことができる。
【００３０】
（ｄ）本願の第４の発明によれば、上記（ａ）に記載の効果に加えて、次のような特有の効果が得られる。即ち、この発明では、上記水循環系Ｘの途中で上記水Ｗを一時貯留し、この貯留された水Ｗの内部において紫外線を照射するようにしているので、例えば、水Ｗの外部から紫外線の照射を行なう場合に比して、水による紫外線の減衰が抑えられ、より効率的にガス成分の分解除去を行なうことができる。
【００３１】
（ｅ）本願の第５の発明によれば、上記（ａ）に記載の効果に加えて、次のような特有の効果が得られる。即ち、この発明では、上記水循環系Ｘの途中で上記水Ｗを一時貯留し、この貯留された水Ｗに光触媒１４を浸漬させ、該水Ｗに対して紫外線を照射するようにしているので、上記光触媒１４が紫外線の照射によって活性化されるとともに、この活性化された光触媒１４によって、上記水Ｗの紫外線の照射によるガス成分の分解作用が促進され、その結果、ガス成分の分解除去が一層効率的に行なわれることになる。
【００３２】
（ｆ）本願の第６の発明によれば、上記（ａ）に記載の効果に加えて、次のような特有の効果が得られる。即ち、この発明では、上記水循環系Ｘを循環する上記水Ｗに直接に紫外線を照射するようにしているので、例えば、貯留された水Ｗに対して紫外線の照射を行なう場合に比して、該水Ｗの全量に均等に紫外線の照射を行なうことができ、それだけ紫外線の照射によるガス成分の除去効率が向上することになる。
【００３３】
（ｇ）本願の第７の発明によれば、空気流通系Ｙを流れる空気Ａに含まれたガス成分を水循環系Ｘを循環する水Ｗに溶解させて除去する空気浄化装置において、ガス成分が溶解された上記水Ｗに対して紫外線を照射する紫外線照射手段１３を備えているので、該紫外線照射手段１３により紫外線が照射されることで、上記水Ｗに溶解されたガス成分は紫外線のもつ強酸化性によって分解除去され、該水Ｗはそのガス成分濃度が低下し、ガス成分に対する溶解能力を回復することになる。即ち、上記水Ｗの再生が図られるものである。
【００３４】
このように、この発明では、上記水循環系Ｘを循環する水Ｗに紫外線を照射することによって、ガス成分濃度が高くなり該ガス成分に対する溶解能力が低下した水Ｗの溶解能力が回復されるものであることから、上記水Ｗの再生を、空気浄化運転を継続させたまま連続的に行なうことができ、例えば、水Ｗの再生時には空気浄化運転を停止させる必要があるような場合に比して、連続的な空気浄化が可能となる分だけ、空調環境の快適性が向上することになる。
【００３５】
また、水Ｗの再生を、上記紫外線照射手段１３による紫外線の照射という極めて簡単な手法で行なえることから、例えば、水Ｗを交換することによってその再生を図るような場合に比して、再生作業の簡易迅速化が図れ、延いては、維持管理の容易な空気浄化装置を提供できるものである。
【００３６】
さらに、このような紫外線の照射による水Ｗの再生の場合、水Ｗの排出量を無くすることができるので、純水の補給は蒸発による減少分に相当する量で良く、例えば、水Ｗの交換によって水Ｗの再生を行なう場合に比して、水循環系Ｘに対する純水の補給量が極めて少なくて済み、それだけ空気浄化に伴うランニングコストが低く経済的な空気浄化装置を提供できる。
【００３７】
（ｈ）本願の第８の発明によれば、上記（ｇ）に記載の効果に加えて、次のような特有の効果が得られる。即ち、この発明では、上記水循環系Ｘの途中に水タンク１１を設けるとともに、上記水タンク１１の上方に上記紫外線照射手段１３を配置しているので、格別な機構等を付設することなく容易に且つ確実に紫外線の照射を行なうことができ、例えば、既存の空気浄化装置に対しても容易に適用できるものである。
【００３８】
（ｉ）本願の第９の発明によれば、上記（ｈ）に記載の効果に加えて、次のような特有の効果が得られる。即ち、この発明では、上記水タンク１２を浅底としているので、水深が浅い分だけ、水による紫外線の減衰が抑えられ、より効率的にガス成分の分解除去を行なうことができ、延いてはより高い空気浄化能力をもつ空気浄化装置を提供できる。
【００３９】
（ｊ）本願の第１０の発明によれば、上記（ｇ）に記載の効果に加えて、次のような特有の効果が得られる。即ち、この発明では、上記水循環系Ｘの途中に水タンク１１を設けるとともに、上記水タンク１１の水Ｗの内部に上記紫外線照射手段１３を配置しているので、例えば、水Ｗの外部から紫外線の照射を行なう場合に比して、水による紫外線の減衰が抑えられ、より効率的にガス成分の分解除去を行なうことができ、延いてはより高い空気浄化能力をもつ空気浄化装置を提供できる。
【００４０】
（ｋ）本願の第１１の発明によれば、上記（ｈ）、（ｉ）又は（ｊ）に記載の効果に加えて、次のような特有の効果が得られる。即ち、この発明では、上記水タンク１１の水Ｗに光触媒１４を浸漬配置しているので、上記光触媒１４が紫外線の照射によって活性化されるとともに、この活性化された光触媒１４によって、上記水Ｗの紫外線の照射によるガス成分の分解作用が促進され、その結果、ガス成分の分解除去が一層効率的に行なわれ、延いてはより高い空気浄化能力をもつ空気浄化装置を提供できる。
【００４１】
（ｌ）本願の第１２の発明によれば、上記（ｇ）に記載の効果に加えて、次のような特有の効果が得られる。即ち、この発明では、上記紫外線照射手段１３を上記水循環系Ｘの途中に介設しているので、例えば、貯留された水Ｗに対して紫外線の照射を行なう場合に比して、該水Ｗの全量に均等に紫外線の照射を行なうことができ、それだけ紫外線の照射によるガス成分の除去効率が向上することになる。
【００４２】
また、上記紫外線照射手段１３を上記水循環系Ｘの途中に介設配置する構成であることから、該紫外線照射手段１３は上記水循環系Ｘ中であればどの位置に設けても良く、該水循環系Ｘ中での配置位置に制約は無く、空気浄化装置の設計時における上記紫外線照射手段１３の配置自由度が向上する。
【発明を実施するための最良の形態】
【００４３】
以下、本願発明を好適な実施形態に基づいて具体的に説明する。
【００４４】
Ｉ：第１の実施形態
図１には、本願発明の第１の実施形態に係る空気浄化方法の実施に供される空気浄化装置の要部を示している。この空気浄化装置は、気体の通過を許容するが液体の通過を阻止する性状をもつ多孔質膜４をもつガス除去エレメント１を備えて構成される。このガス除去エレメント１には、空気流通系Ｙと水循環系Ｘがそれぞれ接続されており、上記多孔質膜４の一方側に、上記空気流通系Ｙを流れる浄化対象である空気（空気調和システムに適用された場合には、室内空気）を流し、該多孔質膜４の他方側には上記水循環系Ｘを循環する水Ｗを流し、上記空気に含まれているガス成分を上記多孔質膜４に通して上記水Ｗに溶解させ、これによって上記空気の清浄化を図るものである。
【００４５】
しかし、上記水Ｗのガス成分溶解能力は、ガス成分濃度の上昇と共に低下するものであり、従って、空気浄化能力の維持を図る上においては上記水Ｗの再生（即ち、ガス成分濃度の低下）が必須であり、このような水Ｗの再生を、上記ガス除去エレメント１の運転を継続させたまま、しかも簡易且つ低コストで行なうことを可能とするため、この実施形態においては、上記水循環系Ｘ側に以下に述べるような新規且つ特有の構成を採用している。以下、これを具体的に説明する。
【００４６】
上記水循環系Ｘは、循環用のポンプ５の吐出側と上記ガス除去エレメント１の水入口１ａを接続する往路２１と、上記ガス除去エレメント１の水出口１ｂと上記ポンプ５の吸入側を接続する復路２２ｂで構成される水循環路２を備えている。
【００４７】
上記往路２ａには、流量調整用のバルブ７及び流量計６が上流側から下流側に向かって順次設けられている。
【００４８】
一方、上記復路２２の途中には所要の容積をもつ水タンク１１が配置されており、側水タンク１１の存在によって上記復路２２は、上記ガス除去エレメント１の水出口１ｂから上記水タンク１１に至る第１路２２ａと、該水タンク１１から上記ポンプ５の吸入側に至る第２路２２ｂに分割された状態となっている。
【００４９】
さらに、上記第１路２２ａには、通路開閉用のバルブ８を備えた分岐路２３が接続されるとともに、該分岐路２３には、上記水タンク１１からのドレン路２４が接続されている。
【００５０】
また、上記水タンク１１には、純水供給路３が接続されるとともに、該純水供給路３には、上記水タンク１１へ純水Ｗ０を自動供給するための電動式のバルブ９と、通路開閉用のバルブ１０が設けられている。
【００５１】
一方、上記水タンク１１の上方には、特許請求の範囲中の「紫外線照射手段」としての紫外線発光ランプ１３が、上記水タンク１１内の水Ｗに向けて配置されている。
【００５２】
この空気浄化装置においては、上記ポンプ５によって、上記水タンク１１を介して上記水循環路２内を循環する水Ｗが上記ガス除去エレメント１内を流通する際、上記多孔質膜４を隔てて流れる空気Ａに含まれていた有害なガス成分（例えば、アンモニアガス）が上記多孔質膜４を通って上記水Ｗに溶解し、これによって上記空気Ａ中のガス成分濃度が低下され、該空気Ａの清浄化が図られるものである。
【００５３】
この場合、上記水Ｗは、上記ガス除去エレメント１でガス成分が溶解されることで次第にガス成分濃度を上げながら上記水循環路２内を循環することになるが、この実施形態のものにおいては、上記水タンク１１の上方に上記紫外線発光ランプ１３を配置し、この紫外線発光ランプ１３によって上記水タンク１１内の水Ｗに紫外線の照射を行なうようにしているので、該水Ｗに含まれているガス成分が照射された紫外線の強酸化性に基づく分解能によって分解される。従って、上記水Ｗにおけるガス成分濃度が低下し、該水Ｗはガス成分溶解能力を回復する（即ち、水Ｗの再生が実現される）。
【００５４】
このような水Ｗの再生が、該水Ｗの循環に伴って常時、あるいは所定時間毎に行なわれることで、上記ガス除去エレメント１には常時高いガス成分溶解能力をもつ水Ｗが流れることとなり、該ガス除去エレメント１における水Ｗへのガス成分の溶解が効率良く行なわれ、高い空気浄化性能が確保されるものである。
【００５５】
さらに、上記水循環系Ｘを循環する水Ｗに上記紫外線発光ランプ１３によって紫外線を照射することで該水Ｗの再生が図られるものであることから、上記水Ｗの再生を、空気浄化運転を継続させたまま連続的に行なうことができ、例えば、水Ｗの再生時には空気浄化運転を停止させる必要があるような場合に比して、連続的な空気浄化が可能となり、例えば、上記空気Ａが空調空気として用いられる場合には、清浄な空気の連続的な供給によって、空調環境の快適性が向上することになる。
【００５６】
また、水Ｗの再生を、上記紫外線発光ランプ１３による紫外線の照射という極めて簡単な手法で行なえることから、例えば、水Ｗを交換することによってその再生を図るような場合に比して、再生作業の簡易迅速化が図れ、延いては空気浄化装置の維持管理が容易となる。
【００５７】
さらに、このような紫外線の照射による水Ｗの再生の場合、水Ｗの排出量を無くすることができるので、純水の補給は蒸発による減少分に相当する量で良く、例えば、水Ｗの交換によって水Ｗの再生を行なう場合に比して、水循環系Ｘに対する純水の補給量が極めて少なくて済み、それだけ空気浄化に伴うランニングコストが低く抑えることができ経済的である。
【００５８】
ＩＩ：第２の実施形態
図２には、本願発明の第２の実施形態に係る空気浄化方法の実施に供される空気浄化装置の要部を示している。この第２の実施形態の空気浄化装置は、上記第１の実施形態の空気浄化装置と基本構成を同じにするもので、これと異なる点は、上記第１の実施形態の空気浄化装置では上記紫外線発光ランプ１３を上記水タンク１２の上方に配置して、上方から上記水タンク１１内の水Ｗに対して紫外線の照射を行なうようにしていたのに対して、上記紫外線発光ランプ１３を浸漬型とし、これを上記水タンク１１の水Ｗ中に浸漬させて配置した点である。
【００５９】
尚、これ以外の構成は、全て上記第１の実施形態の空気浄化装置と同一であり、従って、図２の各部材には、図１の各部材に対応させて符号を付すことで、ここでの説明を省略する。
【００６０】
このように構成されたこの実施形態の空気浄化装置においては、上記水循環系Ｘの途中に設けた上記水タンク１１内の上記水Ｗ中に浸漬型の紫外線発光ランプ１３を浸漬配置し、該紫外線発光ランプ１３によってその回りの水Ｗに紫外線の照射を行なうようにしているので、例えば、上記水Ｗの外部から該水Ｗに向けて紫外線の照射を行なう場合に比して、水による紫外線の減衰が低く抑えられ、紫外線の減衰が少ない分だけ、効率的にガス成分の分解除去が行なわれ、より高水準の空気浄化が確保されるものである。尚、これ以外に、上記第１の実施形態の空気浄化装置における作用効果が得られることは勿論である。
【００６１】
ＩＩＩ：第３の実施形態
図３には、本願発明の第３の実施形態に係る空気浄化方法の実施に供される空気浄化装置の要部を示している。この第３の実施形態の空気浄化装置は、上記第１の実施形態の空気浄化装置と基本構成を同じにするもので、これと異なる点は、上記第１の実施形態の空気浄化装置では上記紫外線発光ランプ１３を上記水タンク１２の上方に配置して、上方から上記水タンク１１内の水Ｗに対して紫外線の照射を行なうようにしていたのに対して、上記紫外線発光ランプ１３を上記水タンク１１の外側方から該水タンク１１に向けて照射するようにするとともに、上記水タンク１１内には光触媒１４を上記水Ｗに浸漬させて設置した点である。尚、この場合、上記紫外線発光ランプ１３から照射される紫外線を上記水タンク１１内の水Ｗに到達させる必要上、上記水タンク１１の上記紫外線発光ランプ１３配置側の面に透明な部分が設けられる。
【００６２】
尚、これ以外の構成は、全て上記第１の実施形態の空気浄化装置と同一であり、従って、図３の各部材には、図１の各部材に対応させて符号を付すことで、ここでの説明を省略する。
【００６３】
このように構成されたこの実施形態の空気浄化装置においては、上記紫外線発光ランプ１３から紫外線を受けて上記光触媒１４が活性化されるとともに、この活性化された光触媒１４部分を上記水Ｗが流れることで、該水Ｗの紫外線照射によるガス成分分解作用が促進され、その結果、ガス成分の分解除去が一層効率的に行なわれ、延いてはより高い空気浄化能力をもつ空気浄化装置を提供できることになる。尚、これ以外に、上記第１の実施形態の空気浄化装置における作用効果が得られることは勿論である。
【００６４】
ＩＶ：第４の実施形態
図４には、本願発明の第４の実施形態に係る空気浄化方法の実施に供される空気浄化装置の要部を示している。この第４の実施形態の空気浄化装置は、上記第１の実施形態の空気浄化装置と基本構成を同じにするもので、これと異なる点は、上記第１の実施形態の空気浄化装置では上記水タンク１１を単一構成としていたのに対して、該水タンク１１の他に、底の浅い水タンク１２を併設し、この水タンク１２と上記水タンク１１をバルブ１５を備えた第３路２２ｃで接続するとともに、上記紫外線発光ランプ１３を上記水タンク１２の上方に配置し、該水タンク１２内の水Ｗに対してその上方から紫外線発光ランプ１３による紫外線の照射を行なうようにした点である。尚、この場合、上記第３路２２ｃによって接続されることで上記水タンク１１と水タンク１２は実質的には一体化されたものと同様であり、しかも上記水タンク１２側に水Ｗを流す必要があることから、上記第２路２２ｂの一端を上記水タンク１２側に接続している。
【００６５】
尚、これ以外の構成は、全て上記第１の実施形態の空気浄化装置と同一であり、従って、図４の各部材には、図１の各部材に対応させて符号を付すことで、ここでの説明を省略する。
【００６６】
このように構成されたこの実施形態の空気浄化装置においては、紫外線の照射が行なわれる上記水タンク１２を底の浅い構造としているので、例えば、底の深い上記水タンク１１側に紫外線の照射を行なう場合に比して、水深が浅い分だけ、水による紫外線の減衰が抑えられ、その結果、より一層効率的にガス成分の分解除去を行なうことができ、延いては、より高い空気浄化能力をもつ空気浄化装置を提供できることになる。尚、これ以外に、上記第１の実施形態の空気浄化装置における作用効果が得られることは勿論である。
【００６７】
Ｖ：第５の実施形態
図５には、本願発明の第５の実施形態に係る空気浄化方法の実施に供される空気浄化装置の要部を示している。この第５の実施形態の空気浄化装置は、上記第１の実施形態の空気浄化装置と基本構成を同じにするもので、これと異なる点は、上記第１の実施形態の空気浄化装置では上記水タンク１１の上方に上記紫外線発光ランプ１３を配置し、該水タンク１１内の水Ｗに対してその上方から紫外線の照射を行なうようにしていたのに対して、この実施形態では上記紫外線発光ランプ１３をインラインタイプのものとし、これを上記復路２２中に介設配置した点である。
【００６８】
尚、これ以外の構成は、全て上記第１の実施形態の空気浄化装置と同一であり、従って、図５の各部材には、図１の各部材に対応させて符号を付すことで、ここでの説明を省略する。
【００６９】
このように構成されたこの実施形態の空気浄化装置においては、上記紫外線照射手段１３を上記復路２２の途中に介設しているので、例えば、貯留された水Ｗに対して紫外線の照射を行なう場合に比して、該水Ｗの全量に均等に紫外線の照射を行なうことができ、それだけ紫外線の照射によるガス成分の除去効率が向上することになる。
【００７０】
また、上記紫外線発光ランプ１３を上記復路２２の途中に介設配置する構成であることから、該紫外線発光ランプ１３は上記復路２２中であればどの位置に設けても良く、該復路２２中での配置位置に制約は無く、空気浄化装置の設計時における上記紫外線発光ランプ１３の配置自由度が向上する。尚、これ以外に、上記第１の実施形態の空気浄化装置における作用効果が得られることは勿論である。
【図面の簡単な説明】
【００７１】
【図１】本願発明の第１の実施の形態に係る空気浄化装置のシステム図である。
【図２】本願発明の第２の実施の形態に係る空気浄化装置のシステム図である。
【図３】本願発明の第３の実施の形態に係る空気浄化装置のシステム図である。
【図４】本願発明の第４の実施の形態に係る空気浄化装置のシステム図である。
【図５】本願発明の第５の実施の形態に係る空気浄化装置のシステム図である。
【符号の説明】
【００７２】
１      ・・ガス除去エレメント
２      ・・水循環路
３      ・・純水供給路
４      ・・多孔質膜
５      ・・ポンプ
６      ・・流量計
７      ・・バルブ
８      ・・バルブ
９      ・・バルブ
１０    ・・バルブ
１１    ・・水タンク
１２    ・・水タンク
１３    ・・紫外線発光ランプ
１４    ・・光触媒
１５    ・・バルブ
２１    ・・往路
２２    ・・復路
２３    ・・分岐路
２４    ・・ドレン路
Ａ      ・・空気
Ｗ      ・・水
Ｘ      ・・水循環系
Ｙ      ・・空気流通系
【図１】
2005313094.tif 000003
【図２】
2005313094.tif 000004
【図３】
2005313094.tif 000005
【図４】
2005313094.tif 000006
【図５】
2005313094.tif 000007